(57)【要約】【課題】装着時に吸収体の厚みを感じにくくするとともに、フィット性を向上させ、装着感が良好な吸収性物品を提供する。【解決手段】透液性表面シート３と裏面シート２との間に吸収体４が介在されるとともに、前記透液性表面シート３の表面側に略長手方向に沿う左右一対の表面エンボス溝１０が付与された生理用ナプキン１である。前記表面エンボス溝１０は、溝底面に、低圧搾部１５と、この低圧搾部１５より溝深さが相対的に深く形成され、且つ該表面エンボス溝に沿って所定の間隔で配置された高圧搾部１６とが設けられている。前記吸収体４の表面側であって、前記表面エンボス溝１０の幅方向両側の領域にそれぞれ、ナプキン幅方向に沿うとともに、前記表面エンボス溝１０の高圧搾部１６を通るナプキン幅方向線Ｌと同一線上に配置されたコアエンボス２０を付与する。【選択図】図２
2014068745.tif 000002
【特許請求の範囲】
【請求項１】
透液性表面シートと裏面シートとの間に吸収体が介在されるとともに、前記透液性表面シートの表面側に略長手方向に沿う左右一対の表面エンボス溝が付与された吸収性物品において、
前記表面エンボス溝は、溝底面に、低圧搾部と、この低圧搾部より溝深さが相対的に深く形成され、且つ該表面エンボス溝に沿って所定の間隔で配置された高圧搾部とが設けられ、
前記吸収体の表面側であって、前記表面エンボス溝の幅方向両側の領域にそれぞれ、吸収性物品の幅方向に沿うとともに、前記表面エンボス溝の高圧搾部を通る吸収性物品の幅方向線と同一線上に配置されたコアエンボスが付与されていることを特徴とする吸収性物品。
【請求項２】
前記コアエンボスは、吸収性物品の幅方向に対し間欠パターン又は連続パターンで形成されている請求項１記載の吸収性物品。
【請求項３】
前記コアエンボスは、前記表面エンボス溝の高圧搾部を通る吸収性物品の幅方向線と同一線上に配置されるとともに、隣接する前記高圧搾部同士の中間部を通る吸収性物品の幅方向線と同一線上に配置されている請求項１、２いずれかに記載の吸収性物品。
【請求項４】
前記表面エンボス溝の幅方向両側の領域に配置され、吸収性物品の幅方向線と同一線上に配置される前記コアエンボスは、前記表面エンボス溝が付与される領域に跨って連続的に形成され、前記表面エンボス溝を跨ぐ部分は、前記表面エンボス溝の両側に配置される部分より相対的にエンボス深さが浅く形成されている請求項１〜３いずれかに記載の吸収性物品。
【請求項５】
前記吸収体の表面側であって、前記吸収体の両側部にそれぞれ、長手方向に沿う第２のコアエンボスが付与されている請求項１〜４いずれかに記載の吸収性物品。
【発明の詳細な説明】
【技術分野】
【０００１】
本発明は、経血やおりものなどを吸収するための生理用ナプキン、パンティーライナー、失禁パッド等の吸収性物品、詳しくは透液性表面シートの表面側に略長手方向に沿う左右一対の表面エンボス溝が付与された吸収性物品に関する。
【背景技術】
【０００２】
従来より、生理用ナプキン、パンティライナー、おりものシート、失禁パッドなどの吸収性物品として、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品では、体液漏れを防止するための手段が種々講じられている。これら体液漏れ防止手段の一つとして、透液性表面シートの表面側から熱エンボスによって凹状の表面エンボス溝を形成する技術が存在する。例えば、下記特許文献１では、吸収体が上層吸収体と下層吸収体とから形成され、前記上層吸収体は、少なくとも該上層吸収体の中央部において、多数の深い凹部により前記下層吸収体と接合一体化されており、前記下層吸収体には、前記上層吸収体が積層されている部分を除いて、多数の浅い凹部が形成されており、前記下層吸収体は、前記上層吸収体における吸収性物品の長手方向の両側縁それぞれの外側に、長手方向に延びるエンボス溝が形成されており、該エンボス溝により、前記表面シートと前記下層吸収体とが接合一体化されている吸収性物品が開示されている。
【０００４】
また、下記特許文献２では、吸収性コアは、その幅方向に沿って延びる複数の離間部があり、前記吸収性コアの離間部がさらに該吸収性コアの長手方向に沿っても形成されており、前記吸収性コアが縦横に独立した小さな吸収部の集合体で形成されており、該吸収性コアには離間部の１つ以上を横断して長手方向に沿って延びる前記表面シートとともに該表面シート側から圧搾された防漏溝が形成されている吸収性物品が開示されている。
【先行技術文献】
【特許文献】
【０００５】
【特許文献１】特開２００８−７９７４７号公報
【特許文献２】特開２０１１−１３９８９７号公報
【発明の概要】
【発明が解決しようとする課題】
【０００６】
上記特許文献１記載の吸収性物品では、エンボス溝によって上層吸収体と下層吸収体との一体性を高め、上層吸収体に吸収された体液を、該上層吸収体と密着性が高く一体化された下層吸収体へ速やかに移動させ、その後下層吸収体に形成された凹部によって圧密化された繊維の毛管力に従い液の移行を制御している。また、上記特許文献２記載の吸収性物品では、防漏溝によって圧密化された吸収部の毛管力により、外方への液の拡散を妨げ横漏れを防止している。このように、透液性表面シートの表面側から付与された表面エンボス溝は、液の拡散を制御し、漏れを防止するという点で大変有効である。
【０００７】
しかしながら、前記表面エンボス溝は、圧搾によって繊維が圧密化され、高密度化された部分であるので、表面エンボス溝の底面と他の表面部分との高低差が大きくなり、装着時の違和感や、吸収体の厚みを感じる要因となっていた。更に、表面エンボス溝によって繊維が急激に圧密化されるため、溝部分とその周辺との剛性差が大きくなり、この剛性差によって吸収体にヨレが生じやすく、身体へのフィット性が低下する問題が発生していた。
【０００８】
また、表面シートの表面側から圧搾された長手方向に沿って延びる表面エンボス溝は、吸収体を身体の前後方向の丸みに沿って湾曲させる際の大きな抵抗となるとともに、吸収性物品を身体の前後方向に湾曲させた際、湾曲に伴って吸収体に複数形成される幅方向に沿う折り線が、前記表面エンボス溝の抵抗によって不規則な間隔で発生するため、吸収性物品の身体へのフィット性が低下し、装着時の違和感が生じやすかった。
【０００９】
そこで本発明の主たる課題は、装着時に吸収体の厚みを感じにくくするとともに、フィット性を向上させ、装着感が良好な吸収性物品を提供することにある。
【課題を解決するための手段】
【００１０】
上記課題を解決するために請求項１に係る本発明として、透液性表面シートと裏面シートとの間に吸収体が介在されるとともに、前記透液性表面シートの表面側に略長手方向に沿う左右一対の表面エンボス溝が付与された吸収性物品において、
前記表面エンボス溝は、溝底面に、低圧搾部と、この低圧搾部より溝深さが相対的に深く形成され、且つ該表面エンボス溝に沿って所定の間隔で配置された高圧搾部とが設けられ、
前記吸収体の表面側であって、前記表面エンボス溝の幅方向両側の領域にそれぞれ、吸収性物品の幅方向に沿うとともに、前記表面エンボス溝の高圧搾部を通る吸収性物品の幅方向線と同一線上に配置されたコアエンボスが付与されていることを特徴とする吸収性物品が提供される。
【００１１】
上記請求項１記載の発明では、前記吸収体の表面側であって、前記表面エンボス溝の幅方向両側の領域にそれぞれ、吸収性物品の幅方向に沿うとともに、前記表面エンボス溝の高圧搾部を通る吸収性物品の幅方向線と同一線上に配置されたコアエンボスが付与されている。従って、前記コアエンボスによって、表面エンボス溝の幅方向両側の領域が圧縮されるため、表面エンボス溝付近の吸収性物品表面の高低差が小さくなり、装着時に吸収体の厚みを感じにくく、装着感が良好となる。
【００１２】
また、前記コアエンボスを付与することによって、表面エンボス溝付近の吸収体の剛性が増加するため、表面エンボス溝の溝部分とその周辺部分との剛性差が緩和し、急激な剛性差による吸収体のヨレの発生や、身体へのフィット性の低下が防止できるようになる。
【００１３】
更に、かかる吸収性物品を身体の前後方向の丸みに沿って湾曲させた場合、吸収体は、前記表面エンボス溝においては低圧搾部より高圧搾部の方が相対的に高剛性であるため、この高圧搾部が可撓点となって折れ曲がりやすくなるとともに、幅方向に配置された前記コアエンボスが可撓軸となって折れ曲がりやすくなる。このとき、前記コアエンボスは、前記表面エンボス溝の高圧搾部を通る吸収性物品の幅方向線と同一線上に配置してあるため、吸収性物品を湾曲させた際、表面エンボス溝の可撓点と、コアエンボスによる可撓軸とが一致し、吸収体の折れ線が吸収性物品の幅方向に沿って綺麗に一直線上に形成されるようになる。このため、コアエンボスによって吸収体の剛性が増加したとしても、身体へのフィット性が向上し、装着時の違和感が生じにくくなる。
【００１４】
請求項２に係る本発明として、前記コアエンボスは、吸収性物品の幅方向に対し間欠パターン又は連続パターンで形成されている請求項１記載の吸収性物品が提供される。
【００１５】
上記請求項２記載の発明では、吸収体を圧縮して装着時の吸収体の厚みを感じにくくするとともに、吸収体の可撓軸となって折り曲げやすくするため、前記コアエンボスは、吸収性物品の幅方向に対し、間欠パターンで付与してもよいし、連続パターンとしてもよい。
【００１６】
請求項３に係る本発明として、前記コアエンボスは、前記表面エンボス溝の高圧搾部を通る吸収性物品の幅方向線と同一線上に配置されるとともに、隣接する前記高圧搾部同士の中間部を通る吸収性物品の幅方向線と同一線上に配置されている請求項１、２いずれかに記載の吸収性物品が提供される。
【００１７】
上記請求項３記載の発明では、コアエンボスを付与する位置として、表面エンボス溝の高圧搾部に対応する幅方向線と同一線上に配置するものに加えて、隣接する前記高圧搾部同士の中間部を通る幅方向線と同一線上に配置してもよいことを規定している。これにより、吸収体を更に圧縮することができ、装着時の厚みをより一層感じにくくできるとともに、吸収体の可撓性が向上し、より身体にフィットしやすくなる。
【００１８】
請求項４に係る本発明として、前記表面エンボス溝の幅方向両側の領域に配置され、吸収性物品の幅方向線と同一線上に配置される前記コアエンボスは、前記表面エンボス溝が付与される領域に跨って連続的に形成され、前記表面エンボス溝を跨ぐ部分は、前記表面エンボス溝の両側に配置される部分より相対的にエンボス深さが浅く形成されている請求項１〜３いずれかに記載の吸収性物品が提供される。
【００１９】
上記請求項４記載の発明では、コアエンボスを付与するに際して、前記表面エンボス溝の幅方向両側の領域に配置され、吸収性物品の幅方向線と同一線上に配置される前記コアエンボスとして、前記表面エンボス溝が付与される領域に跨って連続的に形成するようにしている。このように表面エンボス溝部分に跨って連続的に付与することによって、コアエンボスと表面エンボス溝との圧搾部分の連続性が確保されるようになり、表面エンボス溝の幅方向中心側に配置されたコアエンボスから表面エンボス溝への体液移行が良好となり、吸収体のより広い範囲で体液を吸収保持できるようになる。
【００２０】
請求項５に係る本発明として、前記吸収体の表面側であって、前記吸収体の両側部にそれぞれ、長手方向に沿う第２のコアエンボスが付与されている請求項１〜４いずれかに記載の吸収性物品が提供される。
【００２１】
上記請求項５記載の発明では、吸収体の側部まで達した体液の横漏れを防止するため、吸収体の表面側であって、吸収体の両側部にそれぞれ、長手方向に沿う第２のコアエンボスを付与するようにしている。
【発明の効果】
【００２２】
以上詳説のとおり本発明によれば、装着時に吸収体の厚みが感じにくくなるとともに、フィット性が向上でき、装着感が良好になる。
【図面の簡単な説明】
【００２３】
【図１】本発明に係る生理用ナプキン１の一部破断展開図である。
【図２】表面エンボス溝１０及びコアエンボス２０の相対的位置関係を示す拡大図である。
【図３】(A)はコアエンボスを付与しない場合、(B)はコアエンボス２０を付与した場合を示す、吸収体４の横断面図である。
【図４】他の形態に係る表面エンボス溝１０及びコアエンボス２０の相対的位置関係を示す拡大図である。
【図５】(A)〜(F)はコアエンボス２０のパターン例を示す平面図である。
【図６】他の形態に係る吸収体４の平面図である。
【図７】他の形態に係る(A)はエンボス凸部の正面図、(B)はコアエンボス２０の平面図である。
【図８】他の形態に係る吸収体４の平面図である。
【発明を実施するための形態】
【００２４】
以下、本発明の実施の形態について図面を参照しながら詳述する。
【００２５】
〔生理用ナプキン１の基本構成〕
本発明に係る生理用ナプキン１は、図１に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って配設されたサイド不織布７，７とから構成されている。前記吸収体４の周囲において、そのナプキン長手方向の前後端縁部では、前記不透液性裏面シート２と透液性表面シート３との外縁部がホットメルトなどの接着剤やヒートシール等の接着手段によって接合され、またその両側縁部では吸収体４の端縁よりも側方に延出している前記不透液性裏面シート２と前記サイド不織布７とがホットメルトなどの接着剤やヒートシール等の接着手段によって接合され、外周に吸収体４の存在しない外周フラップ部が形成されている。
【００２６】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２７】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。この透液性表面シート３の表面側からは、各種エンボスが付与されるが、これについては後段で詳述する。
【００２８】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、１００〜６００g／m2が好ましく、１５０g／m2程度がより好ましい。この吸収体４には、各種エンボスが付与されるが、これについては後段で詳述する。
【００２９】
本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００３０】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３１】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによってウイング状フラップＷ、Ｗが形成されている。
【００３２】
前記サイド不織布７としては、重要視する機能の点から撥水処理不織布または親水処理不織布を使用することができる。たとえば、体液が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける体液の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３３】
〔各種エンボスについて〕
本生理用ナプキン１においては、前記透液性表面シート３の表面側から前記吸収体４に至る深さで表面エンボス溝１０〜１３が施されている。前記表面エンボス溝としては、体液排出部Ｈの両側にそれぞれ、生理用ナプキン１の略長手方向に沿うとともに、ナプキン長手方向中心線ＣＬ側に曲率中心を有する弧状曲線によって左右一対の表面エンボス溝１０が形成されている。また、この表面エンボス溝１０より前側に離間して、生理用ナプキン１の略幅方向に沿う左右一対の表面エンボス溝１１が形成されている。一方、前記表面エンボス溝１０より後側に離間して、長手方向中心線ＣＬ近傍の位置から後側に向けて両側に漸次拡大する略逆Ｖ字状を有するとともに、その先端部が長手方向中心線ＣＬ側に湾曲する左右一対の表面エンボス溝１２が形成されている。更に、前記表面エンボス溝１１の前側には、生理期間中の陰鬱な気分を紛らわせることなどを目的として、前側に向けて漸次拡大するとともに、その前端部が内側に湾曲する全体としてハート形などの形状で左右一対の表面エンボス溝１３が形成されている。
【００３４】
前記表面エンボス溝１０〜１３は、溝底面に、低圧搾部１５（図中の白抜き部分）と、この低圧搾部１５より溝深さが相対的に深く形成され、且つ該表面エンボス溝１０〜１３に沿って所定の間隔で配置された高圧搾部１６（図中の●部分）とが設けられている。
【００３５】
一方、図２に示されるように、前記吸収体４の表面側（透液性表面シート３側、肌側）であって、少なくとも体液排出部Ｈの両側に形成される表面エンボス溝１０から所定の間隔をあけて幅方向外側及び幅方向中心側の所定の領域にそれぞれ、生理用ナプキン１の幅方向に沿うとともに、表面エンボス溝１０の高圧搾部１６を通る生理用ナプキン１の幅方向線Ｌと同一線上に配置されたコアエンボス２０、２０…が付与されている。また、前記コアエンボス２０、２０は、前記表面エンボス溝１０の前側及び後側にも設けられ、これらの領域では、表面エンボス溝１１、１２、１３より生理用ナプキン１の幅方向外側の領域に、生理用ナプキン１の幅方向に沿うとともに長手方向に所定の間隔で配置されている。前記コアエンボス２０は、吸収体４の幅方向端縁の近傍まで形成されるとともに、吸収体４の前後方向端縁の近傍まで形成されている。一方、体液排出部Ｈに対応する吸収体４の中央部には、前記コアエンボス２０は形成されていない。また、後側の表面エンボス溝１２、１２で囲まれた領域及び前側の表面エンボス溝１３、１３で囲まれた領域にも、前記コアエンボス２０は形成されていない。
【００３６】
前記表面エンボス溝１０の幅方向両側の領域にコアエンボス２０を付与することによって、次のような効果が発揮される。即ち、図３(A)に示されるように、コアエンボス２０を付与しない場合の表面エンボス溝１０の底面と吸収体表面との高低差はＤ’であり、同図３(B)に示されるように、コアエンボス２０を付与した場合の前記高低差はＤとなる。これら高低差ＤとＤ’を比較すると、コアエンボス２０を付与した場合にはエンボスによって繊維が圧縮され、厚みが薄くなるので、Ｄ＜Ｄ’の関係となる。このため、表面エンボス溝１０とその近傍のナプキン表面の段差が小さくなるため、装着時に吸収体の厚みが感じにくくなり、装着感が良好となる。
【００３７】
また、コアエンボス２０を施さずに、表面エンボス溝１０のみを施した場合には、表面エンボス溝１０によって溝部分の繊維が急激に圧密化されるため、溝部分とその近傍との剛性差が大きくなり、吸収体のヨレの発生や身体へのフィット性の低下が問題とされていたが、本生理用ナプキン１では、表面エンボス溝１０の幅方向両側の領域に前記コアエンボス２０を施してあるため、表面エンボス溝１０とその近傍の吸収体の剛性の変化が緩やかとなり、吸収体のヨレや身体へのフィット性低下の問題が防止できるようになる。
【００３８】
更に、本生理用ナプキン１を身体の前後の丸みに沿って湾曲させた場合（ナプキン長手方向に湾曲させた場合）、吸収体４は、表面エンボス溝１０においては低圧搾部１５より高圧搾部１６の方が相対的に高剛性であるため、この高圧搾部１６を可撓点としてナプキン幅方向に沿った折れ線が形成されやすいとともに、幅方向に沿って配置されたコアエンボス２０を可撓軸としてナプキン幅方向に沿った折れ線が形成されやすくなる。ここで、前記コアエンボス２０は、表面エンボス溝１０の高圧搾部１６を通るナプキン幅方向線Ｌと同一線上に配置してあるため、ナプキンを湾曲させた際、表面エンボス溝１０の可撓点とコアエンボス２０による可撓軸とが一致し、吸収体４の折れ線がナプキン幅方向に沿って綺麗に一直線上に形成されるようになる。このため、コアエンボス２０によって吸収体の剛性が増加したとしても、吸収体の可撓性が向上するため、身体へのフィット性が良好で、装着時の違和感が生じにくくなる。
【００３９】
前記吸収体４の剛性は、表面エンボス溝１０部分の剛性をＢ、コアエンボス２０が付与された領域の剛性をＡ、コアエンボス２０が付与されない体液排出部Ｈに対応する吸収体中央部の剛性をＣとすると、Ｂ＞Ａ＞Ｃの関係となるようにすることが好ましい。表面エンボス溝１０部分の剛性Ｂは、表面エンボス溝１０、１０で囲まれた領域に余計なシワやヨレを生じさせずに着用者の体液排出部Ｈにフィットさせるため、剛性を最も高く設定する必要がある。コアエンボス２０の付与領域の剛性Ａは、表面エンボス溝１０部分とエンボスを付与しない領域との剛性差を緩やかにするとともに、吸収体４の両側部から脚圧がかかったときに、脚周りに適度にフィットする程度の柔軟性を残しておくように前記剛性Ｂよりも低く設定する。吸収体中央部の剛性Ｃは、着用者の体液排出部Ｈにフィットする部分なので、装着感を向上するために剛性を最も低く設定する。
【００４０】
前記高圧搾部１６は、前記低圧搾部１５の底面より、０．５ｍｍ〜３ｍｍ程度溝深さを相対的に深く形成した部分である。前記高圧搾部１６の平面形状は、図１などに示されるように、円形としても良いし、表面エンボス溝１０のエンボス幅を横断する四角形状に配置したり（図８参照。）、表面エンボス溝１０の一方側側壁に偏奇させた半円形や四角形などの図形及び他方側側壁に偏奇させた半円形や四角形などの図形を交互に配置したりすることも可能である。
【００４１】
次に、前記表面エンボス溝１０とコアエンボス２０の寸法について、図４に基づいて説明する。表面エンボス溝１０とコアエンボス２０との間隔Ｓ１は、１ｍｍ〜Ｄ×２ｍｍ（Ｄは、図３(B)の表面エンボス溝１０の底面と吸収体４表面との高低差）程度が好ましい。Ｄ×２ｍｍより大きな間隔をあけると、表面エンボス溝１０とコアエンボス２０との間に、これらエンボスによって厚みが低下しない見かけ上表面側に突出した部分が残存するようになり、表面エンボス溝１０と突出部表面との高低差が大きくなって、吸収体４の厚みを感じやすく、装着感が悪化する。一方、間隔Ｓ１が１ｍｍより小さいと、製造時の高度な位置決め精度が要求され製造コストが嵩むとともに、表面エンボス溝１０とコアエンボス２０が重なりやすくなり、エンボスの機能が損なわれるおそれがある。
【００４２】
前記コアエンボス２０のナプキン長手方向のエンボス長さＳ２は、表面エンボス溝１０の高圧搾部１６のナプキン長手方向長さと同程度、又は若干大きく形成することが好ましい。
【００４３】
ナプキン幅方向に沿って配列されたコアエンボス２０、２０…のナプキン長手方向ピッチＳ３（ナプキン長手方向の中心間距離）は、２．５ｍｍ〜１０ｍｍとするのが好ましく、５ｍｍ程度がより好ましい。前記ピッチＳ３は、表面エンボス溝１０の高圧搾部１６、１６の間隔と同程度とすることが好ましいが、高圧搾部１６、１６間の間隔が小さい場合（２．５ｍｍより小さい場合）、全ての高圧搾部１６毎にコアエンボス２０を配置しなくてもよい。一方、前記ピッチＳ３が前述の範囲内であれば、隣接する高圧搾部１６、１６同士の中間部を通るナプキン幅方向線Ｌと同一線上に配置してもよい。この中間部に配置するコアエンボス２０は、１列でも２列以上の複数列でも構わない。
【００４４】
前記コアエンボス２０をナプキン幅方向に間欠的なパターンで形成する場合、ナプキン幅方向のピッチＳ４（ナプキン幅方向の中心間距離）は、１ｍｍ〜５ｍｍ程度とするのが好ましい。また、間欠パターンの１つ当たりのナプキン幅方向のエンボス幅Ｓ５は、１ｍｍ〜５ｍｍ程度とするのが好ましい。
【００４５】
また、表面エンボス溝１０の高圧搾部１６を図４に示されるように溝幅の中央部に配置するパターンとした場合、前記高圧搾部１６、１６のナプキン長手方向の間隔Ｓ６は、少なくとも５ｍｍ以上とし、前記コアエンボス２０のナプキン長手方向ピッチＳ３の整数倍とすることが好ましい。
【００４６】
更に、コアエンボス２０の配設領域のうち、表面エンボス溝１０より幅方向外側領域のナプキン幅方向長さＳ７は、５ｍｍ以上確保することが好ましい。この幅方向長さＳ７が５ｍｍより小さいと、吸収体４を圧縮する効果が十分に得られず、吸収体４の厚みを感じやすくなる。一方、表面エンボス溝１０より幅方向中心側領域のナプキン幅方向長さＳ８は、３ｍｍ〜１０ｍｍ、好ましくは５ｍｍ程度とするのがよい。幅方向中心側に広くしすぎると、体液排出部Ｈに近くなり、装着感を悪化させるおそれがある。
【００４７】
前記コアエンボス２０を間欠パターンで形成する場合の平面パターンは、図４などに示されるように、円形としてもよいし、図５に示されるように、(A)菱形、(B)正方形、(C)長方形、(D)ナプキン長手方向に長い楕円形、(E)ナプキン幅方向に長い楕円形、(F)波形など種々のパターンで形成することができる。
【００４８】
また、前記コアエンボス２０は、図６に示されるように、ナプキン幅方向に対し連続する連続パターンで形成してもよい。コアエンボス２０を連続パターンとすることによって、コアエンボス２０に沿った可撓軸がはっきりと形成されるようになる。
【００４９】
ところで、前記吸収体４には、該吸収体４の表面側であって、吸収体４の両側部にそれぞれ、ナプキン長手方向に沿う第２のコアエンボス２１が付与されている。前記第２のコアエンボス２１は、体液が吸収体の側部まで達した際に体液を堰き止め、横漏れを確実に防止するためのものである。図１に示されるように、前記第２のコアエンボス２１をナプキン長手方向に対して間欠的なパターンで形成する場合、少なくとも前記高圧搾部１６を通るナプキン幅方向線Ｌと同一線上にエンボス部分が位置するように配置することが好ましい。これにより、ナプキン長手方向に沿って第２のコアエンボス２１を形成した場合でも、吸収体４をナプキン長手方向に湾曲させる際の抵抗が生じにくくなる。
【００５０】
以上の構成からなる生理用ナプキン１の製造に当たっては、パルプ繊維に吸水性ポリマー等を混合したものを積繊等することによって吸収体４を成形した後、クレープ紙５によって囲繞し、エンボス凸部が形成されたエンボスロールとこれに対向配置されたアンビルロールとの間を通過させることによって、吸収体４（クレープ紙５）の表面側の所定位置に前記コアエンボス２０及び第２のコアエンボス２１を付与する。その後、前記コアエンボス２０等を付与した面側に透液性表面シートを接着し、エンボス凸部が形成されたエンボスロールとこれに対向配置されたアンビルロールとの間を通過させることによって、透液性表面シート３の表面側から所定位置に前記表面エンボス溝１０〜１３を付与する。しかる後、不透液性裏面シート２上に接着し、周縁のシール工程や裁断工程等を経て製品が完成する。
【００５１】
前記コアエンボス２０の付与に当たっては、図７に示されるように、前記表面エンボス溝１０から間隔をあけて幅方向両側の領域に配置され、ナプキン幅方向線Ｌと同一線上に配置されるコアエンボス２０、２０として、前記表面エンボス溝１０が付与される領域に跨って連続的に形成し、前記表面エンボス溝１０を跨ぐ中間部２０ａは、前記表面エンボス溝１０の両側に配置されるコアエンボス２０、２０部分より相対的にエンボス深さを浅く形成するようにしてもよい。即ち、エンボスロールに備えられるエンボス凸部３０として、図７(A)に示されるように、コアエンボス２０、２０部分に相当する両側部３０ａ、３０ａが相対的に高く、前記コアエンボスの中間部２０ａに相当する中間部３０ｂが相対的に低く形成されたものを用いることにより、前記コアエンボス２０を施している。このように、コアエンボス２０を表面エンボス溝１０部分に跨って幅方向に連続的に付与することによって、コアエンボス２０と表面エンボス溝１０との圧搾部分の連続性が確保されるようになり、幅方向中心側に配置されたコアエンボス２０から表面エンボス溝１０への体液の拡散が良好となり、吸収体４の広い範囲で体液を吸収保持できるようになる。前記中間部３０ｂのエンボス高さを低く設定することにより、表面エンボス溝１０が均一に圧搾できるようにしている。
【００５２】
〔他の形態例〕
(1)図１に示されるように、左右一対の前記表面エンボス溝１０、１０の間、１２、１２の間及び１３、１３の間にそれぞれ、これらの領域の吸収体を圧縮することなどを目的として、前記表面エンボス溝１０〜１３より溝長さが短く形成された複数の表面エンボス溝１４、１４…を離散的に配置することができる。
(2)上記形態例では、表面エンボス溝１０は、体液排出部Ｈの両側にそれぞれ略長手方向に沿う左右一対で設けられていたが、図８に示されるように、体液排出部Ｈを囲むように閉合する線によって形成するようにしてもよい。このとき、コアエンボス２０は、表面エンボス溝１０の前後にナプキン幅方向に沿って形成される部分においては、表面エンボス溝１０の高圧搾部１６を通るナプキン長手方向線と同一線上に配置されたナプキン長手方向に沿うように配置してもよい。
【符号の説明】
【００５３】
１…生理用ナプキン、２…不透液性裏面シート、３…透液性表面シート、４…吸収体、５…クレープ紙、７…サイド不織布、１０〜１４…表面エンボス溝、、１５…低圧搾部、１６…高圧搾部、２０…コアエンボス、Ｗ…ウイング状フラップ
【図１】
2014068745.tif 000003
【図２】
2014068745.tif 000004
【図３】
2014068745.tif 000005
【図４】
2014068745.tif 000006
【図５】
2014068745.tif 000007
【図６】
2014068745.tif 000008
【図７】
2014068745.tif 000009
【図８】
2014068745.tif 000010